(57)【要約】【課題】外側部材に対して機器装着部材の取り付け角度を変更することができ、クラウン縁部やベルトを下方から挟み込んで取り付けることができる他、ベルトを上方から挟み込んで取り付けることもできる帽子用機器装着装置を提供すること。【解決手段】本発明の帽子用機器装着装置は、クラウン縁部又はベルトの頭部側面に配置される内側部材１０と、クラウン縁部又はベルトの反頭部側面に配置される外側部材２０と、内側部材１０と外側部材２０とを近接する方向に付勢する第１の弾性部材３０と、外側部材２０に取り付けられて機器を装着する機器装着部材４０とを備え、機器装着部材４０を外側部材２０に対して取り付け角度を変更可能としたことを特徴とする。【選択図】        図１
2015140499.tif 000002
【特許請求の範囲】
【請求項１】
キャップのクラウン縁部又はスポーツ用サンバイザーのベルトに取り付けて機器を装着する帽子用機器装着装置であって、
前記クラウン縁部又は前記ベルトの頭部側面に配置される内側部材と、
前記クラウン縁部又は前記ベルトの反頭部側面に配置される外側部材と、
前記内側部材と前記外側部材とを近接する方向に付勢する第１の弾性部材と、
前記外側部材に取り付けられて前記機器を装着する機器装着部材と
を備え、
前記機器装着部材を前記外側部材に対して取り付け角度を変更可能としたことを特徴とする帽子用機器装着装置。
【請求項２】
前記外側部材が、外側固定部材と、回転部材と、内側固定部材とを備え、
前記外側固定部材には、少なくとも２つの凹部又は少なくとも１つの凸部を内周に形成した第１の係合部を有し、
前記回転部材には、少なくとも１つの凸部又は少なくとも２つの凹部を外周に形成し、前記第１の係合部と係合する第２の係合部を有し、
前記内側固定部材には、前記第２の係合部を前記第１の係合部から外した状態で、前記回転部材の位置を規制するとともに前記回転部材の回転を可能とする筒部を有し、
前記機器装着部材を前記回転部材に取り付けたことを特徴とする請求項１に記載の帽子用機器装着装置。
【請求項３】
前記回転部材を前記外側固定部材の方向に付勢する第２の弾性部材を設け、
前記第２の弾性部材の付勢力によって、前記第１の係合部と前記第２の係合部とが係合し、
前記機器装着部材を、前記第２の弾性部材の前記付勢力以上の大きさで前記外側固定部材の前記方向に押圧することで、前記第１の係合部と前記第２の係合部とが外れることを特徴とする請求項２に記載の帽子用機器装着装置。
【請求項４】
前記内側部材には第１の係止部を、前記外側部材には第２の係止部をそれぞれ形成し、前記第１の係止部を前記第２の係止部に係止することで、前記内側部材と前記外側部材との離間状態が維持され、
前記第１の係止部と前記第２の係止部との係止を外すことで、前記第１の弾性部材の付勢力によって前記内側部材と前記外側部材とが近接することを特徴とする請求項１から請求項３のいずれかに記載の帽子用機器装着装置。
【請求項５】
前記内側部材を曲面形状としたことを特徴とする請求項１から請求項４のいずれかに記載の帽子用機器装着装置。
【請求項６】
前記機器装着部材が、前記外側部材に取り付ける取り付け片と、前記取り付け片から延出して前記機器を装着する装着片とを備えたことを特徴とする請求項１から請求項５のいずれかに記載の帽子用機器装着装置。
【発明の詳細な説明】
【技術分野】
【０００１】
本発明は、キャップのクラウン縁部又はスポーツ用サンバイザーのベルトに取り付けて機器を装着する帽子用機器装着装置に関する。
【背景技術】
【０００２】
特許文献１には、帽体の側頭部にカメラを取り付けた構成が開示されている。
特許文献２には、帽体の側頭部に無線機を取り付けた構成が開示されている。
特許文献３には、ランプの照射光距離、及び照射角度を自由に調整できる帽子取付型発光具が開示されている。
特許文献４には、既存の付加物を確実、容易かつ迅速に取り付けられるようにした帽子用付加物保持具が開示されている。
特許文献５には、トランシーバーを側頭部に固定する構成が開示されている。
【先行技術文献】
【特許文献】
【０００３】
【特許文献１】特開２００４−２５０４４号公報
【特許文献２】特開２０００−３０１７５号公報
【特許文献３】特開２０１１−５１０１８５号公報
【特許文献４】特開２００６−８９８８０号公報
【特許文献５】実開昭６２−１２２８３３号（実願昭６１−７７５５号のマイクロフィルム）
【発明の概要】
【発明が解決しようとする課題】
【０００４】
特許文献１及び特許文献２は、帽体がヘルメットであり、カメラや無線機の取り付けについての具体的構成は開示されていない。
特許文献３は、クリップ式で帽子に取り付けること、及び機器の角度を変更できる構成が記載されているが、帽子のひさしに取り付ける構成であり、側頭部に取り付けるものではない。
特許文献４は、クラウンのリムを弾性で挟着する手段が内側片と外側片とを一体形成したものであり、側頭部に装着できるが、取り付けた付加物の方向を変更できるものではない。
特許文献５は、帽体がヘルメットであり、取り付けねじによって硬質のヘルメットに取り付けるものであり、トランシーバーの取り付け方向を変更できるものではない。
【０００５】
そこで本発明は、外側部材に対して機器装着部材の取り付け角度を変更することができ、クラウン縁部やベルトを下方から挟み込んで取り付けることができる他、ベルトを上方から挟み込んで取り付けることもできる帽子用機器装着装置を提供することを目的とする。
【課題を解決するための手段】
【０００６】
請求項１記載の本発明の帽子用機器装着装置は、キャップのクラウン縁部又はスポーツ用サンバイザーのベルトに取り付けて機器を装着する帽子用機器装着装置であって、前記クラウン縁部又は前記ベルトの頭部側面に配置される内側部材と、前記クラウン縁部又は前記ベルトの反頭部側面に配置される外側部材と、前記内側部材と前記外側部材とを近接する方向に付勢する第１の弾性部材と、前記外側部材に取り付けられて前記機器を装着する機器装着部材とを備え、前記機器装着部材を前記外側部材に対して取り付け角度を変更可能としたことを特徴とする。
請求項２記載の本発明は、請求項１に記載の帽子用機器装着装置において、前記外側部材が、外側固定部材と、回転部材と、内側固定部材とを備え、前記外側固定部材には、少なくとも２つの凹部又は少なくとも１つの凸部を内周に形成した第１の係合部を有し、前記回転部材には、少なくとも１つの凸部又は少なくとも２つの凹部を外周に形成し、前記第１の係合部と係合する第２の係合部を有し、前記内側固定部材には、前記第２の係合部を前記第１の係合部から外した状態で、前記回転部材の位置を規制するとともに前記回転部材の回転を可能とする筒部を有し、前記機器装着部材を前記回転部材に取り付けたことを特徴とする。
請求項３記載の本発明は、請求項２に記載の帽子用機器装着装置において、前記回転部材を前記外側固定部材の方向に付勢する第２の弾性部材を設け、前記第２の弾性部材の付勢力によって、前記第１の係合部と前記第２の係合部とが係合し、前記機器装着部材を、前記第２の弾性部材の前記付勢力以上の大きさで前記外側固定部材の前記方向に押圧することで、前記第１の係合部と前記第２の係合部とが外れることを特徴とする。
請求項４記載の本発明は、請求項１から請求項３のいずれかに記載の帽子用機器装着装置において、前記内側部材には第１の係止部を、前記外側部材には第２の係止部をそれぞれ形成し、前記第１の係止部を前記第２の係止部に係止することで、前記内側部材と前記外側部材との離間状態が維持され、前記第１の係止部と前記第２の係止部との係止を外すことで、前記第１の弾性部材の付勢力によって前記内側部材と前記外側部材とが近接することを特徴とする。
請求項５記載の本発明は、請求項１から請求項４のいずれかに記載の帽子用機器装着装置において、前記内側部材を曲面形状としたことを特徴とする。
請求項６記載の本発明は、請求項１から請求項５のいずれかに記載の帽子用機器装着装置において、前記機器装着部材が、前記外側部材に取り付ける取り付け片と、前記取り付け片から延出して前記機器を装着する装着片とを備えたことを特徴とする。
【発明の効果】
【０００７】
本発明によれば、クラウン縁部やベルトを下方から挟み込んで取り付けることができる他、ベルトを上方から挟み込んで取り付けることもでき、キャップやスポーツ用サンバイザーに対する機器装着を容易に行うことができる。
【図面の簡単な説明】
【０００８】
【図１】本発明の一実施例による帽子用機器装着装置の斜視図
【図２】同帽子用機器装着装置の下面図
【図３】同帽子用機器装着装置を機器装着部材の方向から見た分解斜視図
【図４】同帽子用機器装着装置を内側部材の方向から見た分解斜視図
【図５】同帽子用機器装着装置の側面断面図
【図６】同帽子用機器装着装置の内側部材と外側部材とが離間した状態を示す要部断面図
【図７】同帽子用機器装着装置の内側部材と外側部材とが近接した状態を示す要部断面図
【図８】同帽子用機器装着装置の外側部材に対して機器装着部材の取り付け角度を変更する操作を示す要部断面図
【図９】同帽子用機器装着装置の第１の装着形態を示す側面図
【図１０】同帽子用機器装着装置の第２の装着形態を示す側面図
【発明を実施するための形態】
【０００９】
本発明の第１の実施の形態による帽子用機器装着装置は、クラウン縁部又はベルトの頭部側面に配置される内側部材と、クラウン縁部又はベルトの反頭部側面に配置される外側部材と、内側部材と外側部材とを近接する方向に付勢する第１の弾性部材と、外側部材に取り付けられて機器を装着する機器装着部材とを備え、機器装着部材を外側部材に対して取り付け角度を変更可能としたものである。本実施の形態によれば、機器装着部材を外側部材に対して取り付け角度を変更可能としたことで、クラウン縁部やベルトを下方から挟み込んで取り付けることができる他、ベルトを上方から挟み込んで取り付けることもでき、キャップやスポーツ用サンバイザーに対する機器装着を容易に行うことができる。
【００１０】
本発明の第２の実施の形態は、第１の実施の形態による帽子用機器装着装置において、外側部材が、外側固定部材と、回転部材と、内側固定部材とを備え、外側固定部材には、少なくとも２つの凹部又は少なくとも１つの凸部を内周に形成した第１の係合部を有し、
回転部材には、少なくとも１つの凸部又は少なくとも２つの凹部を外周に形成し、第１の係合部と係合する第２の係合部を有し、内側固定部材には、第２の係合部を第１の係合部から外した状態で、回転部材の位置を規制するとともに回転部材の回転を可能とする筒部を有し、機器装着部材を回転部材に取り付けたものである。本実施の形態によれば、外側部材に対して機器装着部材の取り付け角度を変更することができる。
【００１１】
本発明の第３の実施の形態は、第２の実施の形態による帽子用機器装着装置において、回転部材を外側固定部材の方向に付勢する第２の弾性部材を設け、第２の弾性部材の付勢力によって、第１の係合部と第２の係合部とが係合し、機器装着部材を、第２の弾性部材の付勢力以上の大きさで外側固定部材の方向に押圧することで、第１の係合部と第２の係合部とが外れるものである。本実施の形態によれば、機器装着部材を、押圧することで外側部材に対して取り付け角度を変更可能とできるため、本装置をキャップのクラウン縁部やスポーツ用サンバイザーのベルトに取り付けた状態で、取り付け角度を変更することができる。
【００１２】
本発明の第４の実施の形態は、第１から第３のいずれかの実施の形態による帽子用機器装着装置において、内側部材には第１の係止部を、外側部材には第２の係止部をそれぞれ形成し、第１の係止部を第２の係止部に係止することで、内側部材と外側部材との離間状態が維持され、第１の係止部と第２の係止部との係止を外すことで、第１の弾性部材の付勢力によって内側部材と外側部材とが近接するものである。本実施の形態によれば、内側部材と外側部材との離間状態が維持されることで、キャップのクラウン縁部やスポーツ用サンバイザーのベルトへの本装置の取り付けが容易となる。
【００１３】
本発明の第５の実施の形態は、第１から第４のいずれかの実施の形態による帽子用機器装着装置において、内側部材を曲面形状としたものである。本実施の形態によれば、頭部への違和感を無くすことができる。
【００１４】
本発明の第６の実施の形態は、第１から第５のいずれかの実施の形態による帽子用機器装着装置において、機器装着部材が、外側部材に取り付ける取り付け片と、取り付け片から延出して機器を装着する装着片とを備えたものである。本実施の形態によれば、装着片を取り付け片から延出させているので機器を装着片に載置しやすい。
【実施例】
【００１５】
以下本発明の実施例について図面とともに詳細に説明する。
図１は本発明の一実施例による帽子用機器装着装置の斜視図、図２は同帽子用機器装着装置の下面図である。
本実施例による帽子用機器装着装置は、キャップのクラウン縁部又はスポーツ用サンバイザーのベルトに取り付けて機器を装着する。
ここで、キャップとは、例えば野球帽のようなイートンやアポロキャップのようにクラウンの前面にのみつばを有する帽子であり、本実施例による帽子用機器装着装置は、クラウン縁部に、特に側頭部の位置に取り付ける。
また、スポーツ用サンバイザーとは、ゴルフなどのスポーツ時に用いられ、つばにベルトが付いた帽子であり、本実施例による帽子用機器装着装置は、ベルトに、特に側頭部の位置に取り付ける。
【００１６】
図１及び図２に示すように、本実施例による帽子用機器装着装置は、クラウン縁部又はベルトの頭部側面に配置される内側部材１０と、クラウン縁部又はベルトの反頭部側面に配置される外側部材２０と、内側部材１０と外側部材２０とを近接する方向に付勢する第１の弾性部材３０と、外側部材２０に取り付けられて機器を装着する機器装着部材４０とを備えている。
特に、図２に示すように、内側部材１０は曲面形状としており、頭部への違和感を無くしている。また、外側部材２０の内側部材１０側の面は平面形状としているため、内側部材１０と外側部材２０との隙間は、中央部で最も近接し、周辺部で離間している。このように、内側部材１０と外側部材２０との隙間を、中央部と周辺部で異ならせることで、クラウン縁部又はベルトに対する装着を確実に行える。
【００１７】
図３は同帽子用機器装着装置を機器装着部材の方向から見た分解斜視図、図４は同帽子用機器装着装置を内側部材の方向から見た分解斜視図である。
内側部材１０の一端には、第１の係止部１０ａを形成している。
内側部材１０の一方の面には、水平方向に複数のリブ１０ｂを形成している。
また、内側部材１０の一端には、開閉支点部１０ｃと、第１の弾性部材３０の一方の脚部を挿入できる切り欠き部１０ｄを形成している。
内側部材１０には、切り欠き部１０ｄの延長線上に縦溝１０ｅが形成され、第１の弾性部材３０の一方の脚部は縦溝１０ｅに配置される。
【００１８】
外側部材２０は、外側固定部材２１と、回転部材２２と、内側固定部材２３とを備えている。
外側固定部材２１には、少なくとも２つの凹部又は少なくとも１つの凸部を内周に形成した第１の係合部２１ａを有している。
第１の係合部２１ａの中央部には、開口部２１ｂを形成している。
また、外側固定部材２１の一端には、開閉支点部２１ｃと、第１の弾性部材３０の他方の脚部を挿入できる切り欠き部２１ｄを形成している。
【００１９】
回転部材２２には、少なくとも１つの凸部又は少なくとも２つの凹部を外周に形成した第２の係合部２２ａを有している。第２の係合部２２ａは、第１の係合部２１ａと係合する。本実施例では、第２の係合部２２ａは多数の凸部を外周に形成し、第１の係合部２１ａは、第２の係合部２２ａの凸部より多い数の凹部を形成している。第２の係合部２２ａの凸部が第１の係合部２１ａの凹部に係合する。
回転部材２２の一方の面の中央部には、機器装着部材４０と接続される固定部２２ｂを形成している。
また、回転部材２２の他方の面の中央部には円柱部２２ｃを形成し、円柱部２２ｃには第２の弾性部材５０を配置する凹部２２ｄを形成している。
第２の弾性部材５０は、例えばコイルスプリングで構成され、回転部材２２を外側固定部材２１の方向に付勢する。
【００２０】
内側固定部材２３には、第２の係合部２２ａを第１の係合部２１ａから外した状態で、回転部材２２を、位置を規制するとともに回転を可能とする筒部２３ａを有している。円柱部２２ｃが筒部２３ａ内に位置することで、回転部材２２は、位置を規制されるとともに回転が可能となる。
筒部２３ａは、内側固定部材２３の一方の面に形成している。
内側固定部材２３の他方の面には、水平方向に複数のリブ２３ｂを形成している。
また、内側固定部材２３の一端には、水平方向の溝で構成される第２の係止部２３ｃと、第２の係止部２３ｃの外方に突出させた操作部２３ｄを形成している。内側部材１０と外側部材２０とを離間させると、第２の係止部２３ｃには、第１の係止部１０ａが係止され、内側部材１０と外側部材２０との離間状態が維持される。
【００２１】
機器装着部材４０は、外側部材２０に取り付ける取り付け片４１と、取り付け片４１から延出して機器を装着する装着片４２とを備えている。
取り付け片４１には、取付部４１ａを形成している。取付部４１ａと固定部２２ｂとをねじなどの連結具によって固定することで、機器装着部材４０は回転部材２２に取り付けられる。
装着片４２には、機器を固定する装着部４２ａを形成している。装着部４２ａは、例えば撮像機器などの底面に形成された接続部を取り付けることができる。なお、機器としては、照明機器やレーザーポインターであってもよい。
【００２２】
図５は同帽子用機器装着装置の側面断面図である。
図５に示すように、外側固定部材２１と内側固定部材２３との間の空間に、回転部材２２が配置される。回転部材２２の一方の面は機器装着部材４０に固定され、回転部材２２の他方の面には、第２の弾性部材５０が配置されている。
【００２３】
図６は同帽子用機器装着装置の内側部材と外側部材とが離間した状態を示す要部断面図、
図７は同帽子用機器装着装置の内側部材と外側部材とが近接した状態を示す要部断面図である。
図６に示すように、内側部材１０に形成した第１の係止部１０ａを、内側固定部材２３に形成した第２の係止部２３ｃに係止することで、内側部材１０と外側部材２０との離間状態が維持される。
図６に示す状態で、操作部２３ｄを押圧すると、第２の係止部２３ｃが変位することで、第１の係止部１０ａと第２の係止部２３ｃとの係止が外れる。
第１の係止部１０ａと第２の係止部２３ｃとの係止を外すことで、第１の弾性部材３０の付勢力によって内側部材１０と外側部材２０とが近接して図７の状態となる。
従って、図６に示す状態とした後に、キャップのクラウン縁部と頭部との間、又はスポーツ用サンバイザーのベルトと頭部との間に内側部材１０を装着する。そして、内側部材１０の位置を調整した後に、操作部２３ｄを押圧することで、内側部材１０と外側部材２０とでクラウン縁部又はベルトへの装着を行うことができる。
【００２４】
図８は同帽子用機器装着装置の外側部材に対して機器装着部材の取り付け角度を変更する操作を示す要部断面図である。
図８（ａ）は、第２の弾性部材５０の付勢力によって、第１の係合部２１ａと第２の係合部２２ａとが係合した状態を示している。第１の係合部２１ａと第２の係合部２２ａとが係合した状態では、回転部材２２は回転されず、機器装着部材４０は角度を変更できない。
図８（ｂ）は、機器装着部材４０を、第２の弾性部材５０の付勢力以上の大きさで外側固定部材２１の方向に押圧した状態を示している。この状態では、第１の係合部２１ａと第２の係合部２２ａとが外れる。そして、円柱部２２ｃは筒部２３ａ内に位置するため、回転部材２２は、位置を規制されるとともに回転が可能となる。従って、回転部材２２を回転して、機器装着部材４０の取り付け角度を変更できる。
なお、第２の弾性部材５０の付勢力以上の大きさで外側固定部材２１の方向に押圧した状態では、第１の係合部２１ａと第２の係合部２２ａとが外れ、回転部材２２は、位置を規制されるだけで、回転に対する抵抗は生じない。帽子への装着時に、機器装着部材４０を頭部の方向に押圧すると、外側固定部材２１と帽子と内側部材１０は頭部に密着する。従って、この状態で回転動作をすると、外側固定部材２１は帽子とともに頭部に固定された状態で、回転部材２２だけが回転する。
仮に、回転部材２２が回転に対する抵抗を生じる機構、例えば凹凸の弾性体を乗り越えて調節できるようなラチェット機構では、力を加えたときに帽子ごと回転し、帽子が脱げてしまったり、帽子の生地にしわが寄ってしまい、回転部材２２に回転力を十分に伝達できないことになってしまう。このように、例えばラチェット機構は、装着側がヘルメットのように剛性が高く、このようなヘルメットに帽子用機器装着装置が固定されてないと回転させることができない。しかし、本実施例による帽子用機器装着装置では、剛性が低い布製の帽子であっても、帽子への装着時に、回転部材２２だけを回転させることができる。
【００２５】
図９は同帽子用機器装着装置の第１の装着形態を示す側面図、図１０は同帽子用機器装着装置の第２の装着形態を示す側面図である。
図９は、例えばスポーツ用サンバイザーのベルトに、ベルト上方から内側部材１０を挿入することで帽子用機器装着装置を取り付ける場合の装着形態である。
また、図１０は、例えばキャップのクラウン縁部に、クラウン縁部の下方から内側部材１０を挿入することで帽子用機器装着装置を取り付ける場合の装着形態である。
図８で説明したように、機器装着部材４０の取り付け角度を変更できるため、機器装着部材４０を外側部材２０に対して１８０度回転させることで、図９に示す第１の装着形態から図１０に示す第２の装着形態に変更することができる。
以上のように本実施形態によれば、機器装着部材４０を外側部材２０に対して取り付け角度を変更可能としたことで、クラウン縁部やベルトを下方から挟み込んで取り付けることができる他、ベルトを上方から挟み込んで取り付けることもでき、キャップやスポーツ用サンバイザーに対する機器装着を容易に行うことができる。
【産業上の利用可能性】
【００２６】
本発明の帽子用機器装着装置は、特に帽子用の機器装着装置として適しているが、その他ヘアバンドやズボン用ベルトなどにも適用できる。
【符号の説明】
【００２７】
１０  内側部材
１０ａ  第１の係止部
２０  外側部材
２１  外側固定部材
２１ａ  第１の係合部
２２  回転部材
２２ａ  第２の係合部
２３  内側固定部材
２３ｃ  第２の係止部
３０  第１の弾性部材
４０  機器装着部材
５０  第２の弾性部材
【図１】
2015140499.tif 000003
【図２】
2015140499.tif 000004
【図３】
2015140499.tif 000005
【図４】
2015140499.tif 000006
【図５】
2015140499.tif 000007
【図６】
2015140499.tif 000008
【図７】
2015140499.tif 000009
【図８】
2015140499.tif 000010
【図９】
2015140499.tif 000011
【図１０】
2015140499.tif 000012